(57)【要約】【課題】製造コストの増加を抑制することができ、回転体に対する制動部材の接触による鳴き音の発生を抑制することができるエレベータ装置を得る。【解決手段】エレベータ装置において、ブレーキ装置５は、ブレーキ装置５は、かご６の移動に応じて回転されるブレーキディスク９と、ブレーキディスク９に接離するブレーキシュー１０とを有している。かご６には、ブレーキシュー１０がブレーキディスク９に接触することにより制動力が与えられる。ブレーキ制御装置１６は、巻上機エンコーダ１３からの情報に基づいて、ブレーキ装置５を制御する。また、ブレーキ制御装置１６は、ブレーキシュー１０とブレーキディスク９との摺り合わせが保守運転時に行われているときにかご６の速度が所定の基準速度以下になると、ブレーキシュー１０をブレーキディスク９から離し、ブレーキシュー１０をブレーキディスク９に再度接触させる。【選択図】図１
2011032049.tif 000002
【特許請求の範囲】
【請求項１】
かごの移動に応じて回転される回転体と、上記回転体に接離する制動部材とを有し、上記制動部材を上記回転体に接触させることにより上記回転体に制動力を与えるブレーキ装置、
上記かごの速度を検出するかご速度検出器、及び
上記かご速度検出器からの情報に基づいて、上記ブレーキ装置を制御するブレーキ制御装置
を備え、
上記ブレーキ制御装置は、上記制動部材と上記回転体との摺り合わせが保守運転時に行われているときに上記かごの速度が所定の基準速度以下になると、上記制動部材を上記回転体から離し、上記制動部材を上記回転体に再度接触させることを特徴とするエレベータ装置。
【請求項２】
上記ブレーキ制御装置が上記制動部材を上記回転体から離している開放時間は、上記制動部材の温度が上限許容温度以下に維持される所定の基準時間となっていることを特徴とする請求項１に記載のエレベータ装置。
【請求項３】
上記制動部材の温度を検出する温度検出器をさらに備え、
上記ブレーキ制御装置は、上記制動部材を上記回転体から離した後、上記制動部材の温度が所定の基準温度以下になったときに上記制動部材を上記回転体に再度接触させることを特徴とする請求項１に記載のエレベータ装置。
【発明の詳細な説明】
【技術分野】
【０００１】
この発明は、かごの移動に応じて回転する回転体に制動部材を接触させることによりかごに制動力を与えるブレーキ装置を備えたエレベータ装置に関するものである。
【背景技術】
【０００２】
エレベータ装置では、巻上機の駆動シーブと一体に回転されるブレーキディスクにライニングを押し当てることによりかごに制動力を与えるブレーキ装置が用いられていることが知られている。乗場に停止しているときのかごの位置は、ブレーキ装置による制動力がかごに与えられることにより保持される。
【０００３】
従来、かごに与える制動力の低下を抑制するために、ブレーキディスクに対してライニングを摺動させ、摺動により発生するライニングの磨耗粉をブレーキディスクに付着させるエレベータのブレーキ装置が提案されている。ライニングの磨耗粉の付着によってブレーキディスクに磨耗粉移着層が形成されると、ブレーキディスクとライニングとの接触面積が増加し、ブレーキディスクとライニングとの間の静摩擦係数が向上する。これにより、ブレーキ装置のかごに対する制動力の低下が抑制される（例えば特許文献１参照）。
【０００４】
しかし、ブレーキディスクに対してライニングを摺動させると、ブレーキディスクとライニングとがこすれることによる鳴き音が騒音として生じるおそれがある。
【０００５】
従来、鳴き音に起因する騒音を防止するために、ブレーキドラムの摺動部に軸方向溝を形成することによりブレーキドラムの縦波２次共振周波数を可聴波周波数以上の高周波とし、鳴き音を人間に感じさせないようにしたドラムブレーキが提案されている（例えば特許文献２参照）。
【先行技術文献】
【特許文献】
【０００６】
【特許文献１】特開２００３−１４６５６４号公報
【特許文献２】特開平６−２０７６３２号公報
【発明の概要】
【発明が解決しようとする課題】
【０００７】
しかし、従来のブレーキ装置では、ブレーキドラムに溝を設けるという新たな加工が必要になるので、製造コストが増加してしまう。
【０００８】
この発明は、上記のような課題を解決するためになされたものであり、製造コストの増加を抑制することができ、回転体に対する制動部材の接触による鳴き音の発生を抑制することができるエレベータ装置を得ることを目的とする。
【課題を解決するための手段】
【０００９】
この発明に係るエレベータ装置は、かごの移動に応じて回転される回転体と、回転体に接離する制動部材とを有し、制動部材を回転体に接触させることにより回転体に制動力を与えるブレーキ装置、かごの速度を検出するかご速度検出器、及び記かご速度検出器からの情報に基づいて、ブレーキ装置を制御するブレーキ制御装置を備え、ブレーキ制御装置は、制動部材と回転体との摺り合わせが保守運転時に行われているときにかごの速度が所定の基準速度以下になると、制動部材を上記回転体から離し、制動部材を回転体に再度接触させる。
【発明の効果】
【００１０】
この発明に係るエレベータ装置では、制動部材と回転体との摺り合わせが保守運転により行われているときにかごの速度が所定の基準速度以下になると、制動部材を回転体から離し、制動部材を回転体に再度接触させる制御がブレーキ制御装置により行われるので、摺り合わせ時に、鳴き音が発生しやすい回転体の回転速度の範囲を避けて制動部材を回転体に接触させることができる。これにより、回転体に対する制動部材の接触による鳴き音の発生を抑制することができる。また、ブレーキ装置に対して新たな加工を行わなくてよいので、製造コストの増加を抑制することもできる。
【図面の簡単な説明】
【００１１】
【図１】この発明の実施の形態１によるエレベータ装置を示す構成図である。
【発明を実施するための形態】
【００１２】
実施の形態１．
図１は、この発明の実施の形態１によるエレベータ装置を示す構成図である。図において、昇降路１内の上部には、巻上機２が設置されている。巻上機２は、モータ３と、モータ３により回転される駆動シーブ４と、駆動シーブ４に制動力を与えるブレーキ装置５とを有している。
【００１３】
駆動シーブ４には、かご６及び釣合おもり７を吊り下げる懸架体８が巻き掛けられている。懸架体８としては、例えばロープやベルト等が用いられている。かご６及び釣合おもり７は、駆動シーブ４の回転により昇降路１内を上下方向へ移動される。
【００１４】
ブレーキ装置５は、駆動シーブ４と一体に回転するブレーキディスク（回転体）９と、共通のブレーキディスク９に接離可能な複数（この例では、２つ）のブレーキシュー（制動部材）１０と、各ブレーキシュー１０を個別に往復変位させる複数（この例では、２つ）のアクチュエータ１１とを有している。
【００１５】
ブレーキディスク９は、駆動シーブ４と同軸に配置されている。また、ブレーキディスク９は、駆動シーブ４とともに、かご６及び釣合おもり７の移動に応じて回転される。
【００１６】
各アクチュエータ１１は、ブレーキディスク９に接触する方向へブレーキシュー１０を付勢する図示しない付勢ばね（付勢装置）と、付勢ばねの付勢力に逆らってブレーキシュー１０をブレーキディスク９から離す開放力を発生するブレーキコイル（開放装置）１２とを有している。
【００１７】
ブレーキシュー１０は、ブレーキコイル１２への給電が停止されることにより、付勢ばねの付勢力に従ってブレーキディスク９に接触する。駆動シーブ４、かご６、釣合おもり７及びブレーキディスク９には、ブレーキディスク９に対するブレーキシュー１０の接触により制動力が与えられる。また、ブレーキシュー１０は、ブレーキコイル１２への給電が行われることにより、付勢ばねの付勢力に逆らってブレーキディスク９から離れる。駆動シーブ４、かご６、釣合おもり７及びブレーキディスク９に対する制動力は、ブレーキシュー１０がブレーキディスク９から離れることにより消滅する。
【００１８】
モータ３には、駆動シーブ４の回転に応じた信号（パルス信号）を発生する巻上機エンコーダ１３が設けられている。昇降路１内には、制御盤１４が設けられている。制御盤１４には、エレベータ制御装置１５、ブレーキ制御装置１６及び電力変換装置１７が搭載されている。巻上機エンコーダ１３からの信号は、エレベータ制御装置１５及びブレーキ制御装置１６のそれぞれへ送られる。エレベータ制御装置１５及びブレーキ制御装置１６では、巻上機エンコーダ１３からの信号に基づいて、かご６の速度及び移動距離が求められる。即ち、巻上機エンコーダ１３は、かご６の速度及び移動距離をそれぞれ検出するかご速度検出器及び移動距離検出器とされている。
【００１９】
制御盤１４によるエレベータの運転は、図示しないモード切替スイッチの操作により、通常運転モードと保守運転モードとの間で切り替え可能になっている。通常運転モードではエレベータの通常運転が行われ、保守運転モードでは図示しない保守運転スイッチの操作による手動運転が可能になる。
【００２０】
エレベータ制御装置１５は、通常運転時に、巻上機エンコーダ１３からの信号に基づいて、目標の設定速度パターンに従った速度でかご６を移動させるための速度指令を発生する。また、エレベータ制御装置１５は、保守運転時に、保守運転スイッチの操作に応じてかご６を低速で移動させるための速度指令を発生する。
【００２１】
電力変換装置１７は、エレベータ制御装置１５からの速度指令に応じた電力をモータ３に供給する。モータ３は、電力変換装置１７からの電力に従って駆動シーブ４を回転させる。
【００２２】
ブレーキ制御装置１６は、巻上機エンコーダ１３からの信号及びエレベータ制御装置１５からの速度指令のそれぞれに基づいて、各ブレーキコイル１２への給電を制御する。ブレーキ制御装置１６による各ブレーキコイル１２への給電の制御は、ブレーキコイル１２ごとに個別に行われる。
【００２３】
ブレーキ制御装置１６は、通常運転時にエレベータ制御装置１５の制御によりかご６が乗場に停止されると、各ブレーキコイル１２への給電を停止してかご６に制動力を与える。これにより、かご６の停止位置が保持される。ブレーキ制御装置１６は、保守運転時に保守運転スイッチの操作に応じた給電の制御を各ブレーキコイル１２に対して個別に行う。
【００２４】
ここで、例えばブレーキシュー１０のブレーキディスク９に対する接触面が劣化している場合やブレーキシュー１０の交換を行った場合には、ブレーキディスク９を回転させながらブレーキシュー１０をブレーキディスク９に接触させる摺り合わせが保守運転時に行われる。ブレーキシュー１０とブレーキディスク９との摺り合わせが行われることにより、ブレーキシュー１０の接触面が活性化され、ブレーキシュー１０の接触によるブレーキディスク９への制動力の安定化が図られる。
【００２５】
回転するブレーキディスク９にブレーキシュー１０が接触すると、ブレーキディスク９に制動力が与えられ、ブレーキディスク９の回転速度が連続的に低下する。ブレーキシュー１０がブレーキディスク９に接触したままブレーキディスク９の回転速度が所定の臨界速度にまで低下すると鳴き音が発生する。
【００２６】
ブレーキ制御装置１６は、保守運転時にエレベータ制御装置１５の制御によりかご６が移動されている状態で各ブレーキコイル１２の少なくともいずれかへの給電を停止しているときに、ブレーキシュー１０とブレーキディスク９との摺り合わせを行っていると判断する。また、ブレーキ制御装置１６は、保守運転によってブレーキシュー１０とブレーキディスク９との摺り合わせが行われているときにかご６の速度が所定の基準速度以下になると、ブレーキシュー１０をブレーキディスク９から離し、ブレーキシュー１０をブレーキディスク９に再度接触させる制御をブレーキ装置５に対して行う。
【００２７】
所定の基準速度は、ブレーキ制御装置１６にあらかじめ設定されている。また、所定の基準速度は、鳴き音を発生する臨界速度以上の速度とされている。臨界温度は、実験や解析等により特定されている。
【００２８】
一方、ブレーキシュー１０の温度が所定の上限許容温度よりも高くなると、ブレーキシュー１０の変質等が生じるため、ブレーキシュー１０とブレーキディスク９との良好な摺り合わせが行えなくなってしまう。ブレーキシュー１０の温度は、回転するブレーキディスク９にブレーキシュー１０が接触すると摩擦熱の発生により上昇し、ブレーキディスク９からブレーキシュー１０が離れると熱の放散により低下する。従って、摺り合わせ時のブレーキ制御装置１６がブレーキシュー１０をブレーキディスク９から離している開放時間は、ブレーキシュー１０からの熱の放散によりブレーキシュー１０の温度が上限許容温度以下に維持される所定の基準時間となっている。
【００２９】
所定の基準時間は、ブレーキ制御装置１６にあらかじめ設定されている。また、所定の基準時間は、実験や解析等により特定されている。
【００３０】
所定の基準時間の特定は、以下のようにして行われる。即ち、ブレーキディスク９に対するブレーキシュー１０の接離をブレーキシュー１０の温度が安定するまで繰り返し、温度が安定したときのブレーキシュー１０の温度を測定する。この後、ブレーキシュー１０をブレーキディスク９から離す開放時間を変えながら、同様の測定を行う。これにより、ブレーキシュー１０のブレーキディスク９に対する開放時間と、摺り合わせ時に安定するブレーキシュー１０の温度との関係が得られる。得られた関係に基づいて、ブレーキシュー１０の温度が上限許容温度以下になるときの開放時間を求め、求めた開放時間を所定の基準時間とする。
【００３１】
次に、保守運転によって摺り合わせを行うときの手順について説明する。保守員は、まず制御盤１４の運転モードを通常運転モードから保守運転モードに切り替える。この後、保守員は、保守運転スイッチの操作により、モータ３の動力で駆動シーブ４を回転させながら、かご６を移動させる。
【００３２】
この後、保守員は、保守運転スイッチの操作により、かご６を移動させたまま、２つのブレーキコイル１２のいずれか一方のみへの給電を停止する。これにより、２つのブレーキシュー１０のうち、一方のブレーキシュー１０のみが付勢ばねの付勢力によりブレーキディスク９に接触する。これにより、一方のブレーキシュー１０とブレーキディスク９との摺り合わせが行われる。
【００３３】
一方のブレーキシュー１０とブレーキディスク９との摺り合わせが完了した後、保守員は、他方のブレーキシュー１０についても、一方のブレーキシュー１０の場合と同様にしてブレーキディスク９との摺り合わせを行う。このようにして、すべてのブレーキシュー１０とブレーキディスク９との摺り合わせが完了する。
【００３４】
即ち、保守員は、各ブレーキシュー１０のそれぞれについて、ブレーキディスク９との摺り合わせを個別に行う。
【００３５】
次に、ブレーキシュー１０とブレーキディスク９との摺り合わせが行われているときのブレーキ装置５及びブレーキ制御装置１６の動作について説明する。回転するブレーキディスク９にブレーキシュー１０が接触して摺り合わせが開始されると、ブレーキディスク９に制動力が与えられ、ブレーキディスク９の回転速度が連続的に低下する。これにより、巻上機エンコーダ１３により検出される速度も連続的に低下する。
【００３６】
巻上機エンコーダ１３により検出される速度が所定の基準速度まで低下すると、ブレーキ制御装置１６の制御により、ブレーキコイル１２への給電が行われてブレーキシュー１０がブレーキディスク９から離される。これにより、ブレーキディスク９の回転速度が上昇するとともに、ブレーキシュー１０から熱が放散される。
【００３７】
この後、ブレーキシュー１０がブレーキディスク９から離れてから、所定の基準時間が経過したときに、ブレーキ制御装置１６の制御により、ブレーキコイル１２への給電が停止されてブレーキシュー１０がブレーキディスク９に再度接触する。
【００３８】
保守運転時には、上記の動作を繰り返しながら、ブレーキシュー１０とブレーキディスク９との摺り合わせが行われる。
【００３９】
このようなエレベータ装置では、ブレーキシュー１０とブレーキディスク９との摺り合わせが保守運転により行われているときにかご６の速度が所定の基準速度以下になると、ブレーキシュー１０をブレーキディスク９から離し、ブレーキシュー１０をブレーキディスク９に再度接触させる制御がブレーキ制御装置１６により行われるので、摺り合わせ時に、鳴き音が発生しやすいブレーキディスク９の回転速度の範囲を避けてブレーキシュー１０をブレーキディスク９に接触させることができる。これにより、ブレーキディスク９に対するブレーキシュー１０の接触による鳴き音の発生を抑制することができる。また、ブレーキ装置５に対して新たな加工を行わなくてよいので、製造コストの増加を抑制することもできる。
【００４０】
また、ブレーキ制御装置１６がブレーキシュー１０をブレーキディスク９から離している開放時間は、ブレーキシュー１０の温度が上限許容温度以下に維持される所定の基準時間となっているので、ブレーキシュー１０から熱を放散させる開放時間を必要以上に延ばすことなく、ブレーキシュー１０の温度の異常な上昇を防止することができる。従って、ブレーキシュー１０とブレーキディスク９との良好な摺り合わせを維持しながら、摺り合わせを行う時間の短縮化を図ることができる。
【００４１】
なお、上記の例では、ブレーキシュー１０をブレーキディスク９に接触させるディスク式のブレーキ装置５を備えたエレベータ装置にこの発明が適用されているが、ブレーキシュー１０をブレーキドラムに接触させるドラム式のブレーキ装置を備えたエレベータ装置にこの発明を適用してもよい。
【００４２】
また、上記の例では、かご６ぼ速度及び移動距離をそれぞれ検出するかご速度検出器及び移動距離検出器として巻上機エンコーダ１３が用いられているが、かご６の移動に応じて回転される調速機シーブを有する調速機に設けられた調速機エンコーダをかご速度検出器及び移動距離検出器として用いてもよい。この場合、調速機エンコーダは、調速機シーブの回転に応じた信号（パルス信号）を発生する。また、調速機エンコーダからの信号は、エレベータ制御装置１５及びブレーキ制御装置１６へ送られる。
【００４３】
また、上記の例では、ブレーキシュー１０をブレーキディスク９に再度接触させるときの時期が、ブレーキシュー１０がブレーキディスク９から離れた後、あらかじめ設定された基準時間が経過したときとされているが、ブレーキシュー１０をブレーキディスク９に再度接触させる時期を、ブレーキシュー１０の温度を検出する温度センサ（温度検出器）からの情報に基づいて決定するようにしてもよい。
【００４４】
この場合、温度センサは、各ブレーキシュー１０に接触して温度を常時検出する。また、ブレーキ制御装置１６は、ブレーキシュー１０をブレーキディスク９から離した後、ブレーキシュー１０の温度が所定の基準温度以下になったときにブレーキシュー１０をブレーキディスク９に再度接触させる。所定の基準温度は、上限許容温度（良好な摺り合わせを維持する温度の上限値）よりも低い温度とされる。このようにしても、ブレーキシュー１０とブレーキディスク９との良好な摺り合わせを維持しながら、摺り合わせを行う時間の短縮化を図ることができる。
【符号の説明】
【００４５】
５  ブレーキ装置、６  かご、９  ブレーキディスク（回転体）、１０  ブレーキシュー（制動部材）、１３  巻上機エンコーダ（かご速度検出器）、１６  ブレーキ制御装置。
【図１】
2011032049.tif 000003